(57)【特許請求の範囲】
【請求項１】
柔軟な材料で形成され、内圧が減少することで減容する袋状部材と、
上記袋状部材の内部に収納された現像剤を排出するための現像剤排出口を形成する排出口形成部材とを備えた現像剤収納容器において、
上記袋状部材が内圧の減少により減容するときに屈折する該袋状部材上の屈折箇所よりも該袋状部材上の他部の剛性を高める剛性強化手段を有することを特徴とする現像剤収納容器。
【請求項２】
請求項１の現像剤収納容器において、
上記剛性強化手段は、上記袋状部材に対して着脱可能な剛性強化部材であることを特徴とする現像剤収納容器。
【請求項３】
請求項２の現像剤収納容器において、
上記剛性強化部材は、上記袋状部材の外周面に沿って装着され、該袋状部材よりも高い剛性を有する中空筒状部材であることを特徴とする現像剤収納容器。
【請求項４】
請求項１の現像剤収納容器において、
上記剛性強化手段は、上記袋状部材に固着して設けられていることを特徴とする現像剤収納容器。
【請求項５】
請求項４の現像剤収納容器において、
上記袋状部材は、少なくとも１つの平面部を有しており、
上記剛性強化手段は、上記平面部の少なくとも一部に固定される平板状部材であることを特徴とする現像剤収納容器。
【請求項６】
請求項５の現像剤収納容器において、
上記平板状部材は、該平板状部材の平板面を貫通する貫通穴を有することを特徴とする現像剤収納容器。
【請求項７】
請求項４の現像剤収納容器において、
上記剛性強化手段は、上記他部がが上記屈折箇所よりも厚く形成された部分で構成されていることを特徴とする現像剤収納容器。
【請求項８】
請求項４、５、６又は７の現像剤収納容器において、
上記袋状部材は、互いに対向する２つの第１平面部と、該２つの第１平面部を連結する互いに対向した２つの第２平面部とを有しており、
上記第１平面部の各々は、上記剛性強化手段を備えており、
上記第２平面部の各々は、上記袋状部材が内圧の減少により減容して変形したときに上記２つの第１平面部を互いに平行に近接させるように屈折するための折り目を有し、該折り目を境にして２つの上記剛性強化手段を備えていることを特徴とする現像剤収納容器。
【請求項９】
請求項４、５、６又は７の現像剤収納容器において、
上記袋状部材は、互いに対向する２つの第１平面部と、該２つの第１平面部を連結する互いに対向した２つの第２平面部とを有しており、
上記第１平面部の各々は、上記第２平面部よりも剛性の高いシート材で形成されており、
上記第２平面部の各々は、上記袋状部材が内圧の減少により減容して変形したときに上記２つの第１平面部を互いに平行に近接させるように屈折するための折り目を有し、該折り目を境にして少なくとも１つの剛性強化手段を備えていることを特徴とする現像剤収納容器。
【請求項１０】
潜像担持体と、
上記潜像担持体上に形成される潜像を現像剤により現像する現像装置と、
現像剤を上記現像装置に補給するための現像剤補給装置と、
上記現像剤補給装置により上記現像装置に補給するための現像剤を収納し、該現像剤補給装置に対して着脱可能な現像剤収納容器とを備えた画像形成装置において、
上記現像剤収納容器として、請求項１、２、３、４、５、６、７、８又は９の現像剤収納容器を用いたことを特徴とする画像形成装置。
【請求項１１】
請求項１０の画像形成装置において、
上記現像剤収納容器を上記現像剤補給装置に装着するときに、該現像剤収納容器の姿勢を保持するための保持部材を有することを特徴とする画像形成装置。
【発明の詳細な説明】
【０００１】
【発明の属する技術分野】
本発明は、現像剤収納容器並びに画像形成装置に係り、詳しくは、柔軟な材料で形成され、内圧が減少することで減容する袋状部材と、上記袋状部材の内部に収納された現像剤を排出するための現像剤排出口を形成する排出口形成部材とを備えた現像剤収納容器並びにこの現像剤収納容器を備えた画像形成装置に関するものである。
【０００２】
【従来の技術】
この種の画像形成装置としては、感光体（潜像担持体）上に静電潜像を形成し、その静電潜像を現像剤中のトナーによって現像して得られたトナー像を転写紙へ転写する電子写真方式を利用するものが知られている。このような画像形成装置には、静電潜像を現像する現像装置に消費した分のトナーを供給するため、トナー収容器（現像剤収納容器）が装着される。このトナー収容器は、一般に、トナーが充填された状態で、画像形成装置本体とは別個独立の商品として販売され、ユーザーに提供される。このような画像形成装置においては、装着されたトナー収容器に収納されているトナーを、スクリューやオーガ等の機械的手段によって少量ずつ搬送し、現像装置内部に補給するトナー補給方式を利用したものが知られている。この機械的手段によりトナー搬送を行うトナー補給方式では、そのトナー搬送通路がほぼ直線状にしか配置できず配置の自由度が低いという欠点がある。
【０００３】
この欠点を解消するため、特開平７−２１９３２９号公報では、回転することによりトナーを軸方向に移動させるロータと、このロータを包み込むトナー搬送通路を内部に有しかつロータと通路内部で接触係合する固定されたステータとを有するスクリューポンプ、及び、このスクリューポンプにより搬送される粉体トナーを流動化させるためにトナーに空気を供給するエアポンプを備えたものが開示されている。このトナー補給方式では、エアポンプを使用して、フレキシブルな搬送パイプ内を通して、トナー収容器内のトナーを現像装置まで搬送することができる。このため、スクリューやオーガ等の機械的手段を用いたトナー補給方式に比べて、トナー搬送通路の配置の自由度を高めることができる。この結果、トナー収容器の形状や大きさを、画像形成装置本体の空きスペースに合わせて自由に設定することができるという利点がある。また、このトナー補給方式では、エアポンプによってトナーを空気と混合した状態で搬送するので、トナーが流動化して安定した搬送を実現できるとともに、搬送されるトナーに無用なストレスを与えないため、搬送中のトナーの凝集や熱融着等が生じにくい。
【０００４】
また、上記特開平７−２１９３２９号公報に開示されているトナー補給方式においては、トナー収容器を袋状の柔軟な材料で形成し、スクリューポンプの吸引力によって容器を収縮・減容する構成とすることができる。これにより、トナー消費後のトナー収容器の容積を小さくすることができ、使用後のトナー収容器の取り扱いの利便性を高めることができる。具体的に説明すると、カートリッジやボトルといったハードボトルで形成されたトナー収容器を使用する場合、そのトナー収容器の形状は変形せず、トナー収容器が使用済みとなったときでも、使用前と同じ大きさのままである。しかし、上記トナー補給方式においては、トナー収容器が柔軟な材料で形成されたソフトボトルを使用し、使用後には使用前よりも減容した状態となるため、ハードボトルのトナー収容器を使用する場合に比べて、ユーザーの取り扱いが容易となる上、そのトナー収容器の交換に伴う使用済み容器の回収の際に、ユーザーからメーカーへの運搬するときのコストを低く抑えることができる。
【０００５】
【発明が解決しようとする課題】
ところが、上述のようなソフトボトルを使用する場合、トナーが無くなった時点で容器が減容した状態（つぶれた状態）になるが、従来、その減容後の形状は、一定の形状にならず、図１７に示すように不定形で捻れたような状態となる。このため、使用済み容器を保管したり運搬したりする際の収納性の点で、トナー収容器を減容させることの効果を十分に得ることができないという問題があった。また、減容後の形状が不定形である場合、ユーザーからの見た目も良くない上、減容後の形状によっては、その取扱いの利便性を損ねる結果となる。
【００１０】
本発明は、上記問題に鑑みなされたものであり、その目的とするところは、使用済みのトナー収容器（現像剤収納容器）のユーザーによる取り扱いの容易性を安定して確保したり、使用済みのトナー収容器を保管したり運搬したりする際の収納性を安定して確保したりすることができる現像剤収納容器及び画像形成装置を提供することである。
【００１１】
【課題を解決するための手段】
上記目的を達成するために、請求項１の発明は、柔軟な材料で形成され、内圧が減少することで減容する袋状部材と、上記袋状部材の内部に収納された現像剤を排出するための現像剤排出口を形成する排出口形成部材とを備えた現像剤収納容器において、上記袋状部材が内圧の減少により減容するときに屈折する該袋状部材上の屈折箇所よりも該袋状部材上の他部の剛性を高める剛性強化手段を有することを特徴とするものである。
ここで、「現像剤」とは、現像剤を構成する少なくとも一部の物質を意味し、二成分現像剤の場合には、キャリア及びトナー、キャリアのみ、トナーのみをも含むものである。
また、請求項２の発明は、請求項１の現像剤収納容器において、上記剛性強化手段は、上記袋状部材に対して着脱可能な剛性強化部材であることを特徴とするものである。
また、請求項３の発明は、請求項２の現像剤収納容器において、上記剛性強化部材は、上記袋状部材の外周面に沿って装着され、該袋状部材よりも高い剛性を有する中空筒状部材であることを特徴とするものである。
また、請求項４の発明は、請求項１の現像剤収納容器において、上記剛性強化手段は、上記袋状部材に固着して設けられていることを特徴とするものである。
また、請求項５の発明は、請求項４の現像剤収納容器において、上記袋状部材は、少なくとも１つの平面部を有しており、上記剛性強化手段は、上記平面部の少なくとも一部に固定される平板状部材であることを特徴とするものである。
また、請求項６の発明は、請求項５の現像剤収納容器において、上記平板状部材は、該平板状部材の平板面を貫通する貫通穴を有することを特徴とするものである。
また、請求項７の発明は、請求項４の現像剤収納容器において、上記剛性強化手段は、上記他部がが上記屈折箇所よりも厚く形成された部分で構成されていることを特徴とするものである。
また、請求項８の発明は、請求項４、５、６又は７の現像剤収納容器において、上記袋状部材は、互いに対向する２つの第１平面部と、該２つの第１平面部を連結する互いに対向した２つの第２平面部とを有しており、上記第１平面部の各々は、上記剛性強化手段を備えており、上記第２平面部の各々は、上記袋状部材が内圧の減少により減容して変形したときに上記２つの第１平面部を互いに平行に近接させるように屈折するための折り目を有し、該折り目を境にして２つの上記剛性強化手段を備えていることを特徴とするものである。
また、請求項９の発明は、請求項４、５、６又は７の現像剤収納容器において、上記袋状部材は、互いに対向する２つの第１平面部と、該２つの第１平面部を連結する互いに対向した２つの第２平面部とを有しており、上記第１平面部の各々は、上記第２平面部よりも剛性の高いシート材で形成されており、上記第２平面部の各々は、上記袋状部材が内圧の減少により減容して変形したときに上記２つの第１平面部を互いに平行に近接させるように屈折するための折り目を有し、該折り目を境にして少なくとも１つの剛性強化手段を備えていることを特徴とするものである。
また、請求項１０の発明は、潜像担持体と、上記潜像担持体上に形成される潜像を現像剤により現像する現像装置と、現像剤を上記現像装置に補給するための現像剤補給装置と、上記現像剤補給装置により上記現像装置に補給するための現像剤を収納し、該現像剤補給装置に対して着脱可能な現像剤収納容器とを備えた画像形成装置において、上記現像剤収納容器として、請求項１、２、３、４、５、６、７、８又は９の現像剤収納容器を用いたことを特徴とするものである。
また、請求項１１の発明は、請求項１０の画像形成装置において、上記現像剤収納容器を上記現像剤補給装置に装着するときに、該現像剤収納容器の姿勢を保持するための保持部材を有することを特徴とするものである。
上記請求項１乃至１１の発明においては、現像剤を収納する袋状部材が、柔軟な材料で形成され内圧の減少により減容するものであるため、例えば、スクリューポンプ等の吸引手段により現像剤収納容器内の現像剤を現像剤排出口から排出する場合には、現像剤の排出に伴って減容する。そして、現像剤収納容器内の現像剤が無くなったときには、つぶれた状態となるため、その使用済みの現像剤収納容器のユーザーによる取り扱いが容易となり、また、その使用済みの現像剤収納容器を回収する際の運搬コストを低く抑えることができる。ここで、本現像剤収納容器では、剛性強化手段により、袋状部材が内圧の減少により減容するときに屈折する袋状部材上の屈折箇所よりも袋状部材の他部の剛性が高まっている。このため、袋状部材が減容するときには、剛性が低い部分である上記屈折箇所が屈折し、剛性が高い上記他部は屈折しない。よって、袋状部材は、減容により上記屈折箇所で適切に屈折しながら所定形状に向かって変形していき、最終的に、減容後の袋状部材は、その所定形状につぶれた状態となる。したがって、その所定形状として、ユーザーによる取り扱いの容易性が良く、また、収納性が良い形状を採用すれば、使用済みの現像剤収納容器の取り扱いの容易性又は収納性を安定して確保することができる。
【００１２】
【発明の実施の形態】
〔実施形態１〕
以下、本発明を、電子写真方式の画像形成装置であるプリンタに適用した一実施形態（以下、本実施形態を「実施形態１」という。）について説明する。本実施形態では、単一の現像装置を利用して現像を行う単色画像形成装置を例に挙げて説明する。
【００１３】
まず、本実施形態に係るプリンタの構成及び動作について説明する。
図２は、本実施形態に係るプリンタにおける現像剤移送装置としての現像剤補給装置であるトナー補給装置周辺の概略構成図である。このプリンタは、一般的な電子写真プロセスと同様に、潜像担持体としての感光体ドラム１を、図示しない帯電装置により所定電荷で一様に帯電した後、図示しない露光装置により画像に応じた光を照射し、感光体ドラム１上に静電潜像を形成する。そして、現像装置１０により、感光体ドラム１上の静電潜像をトナーで現像し、これにより感光体ドラム１上にはトナー像が形成される。その後、感光体ドラム１上に形成されたトナー像は、図示しない転写材としての転写紙上に転写され、定着装置によって転写紙上に定着固定されて画像が出力されることになる。
【００１４】
上記現像装置１０は、いわゆる２成分現像装置であり、トナーとキャリアを混合した現像剤を使用する。現像装置１０の内部に貯蔵されている現像剤は、２本の搬送スクリュー１１ａ，１１ｂにより、仕切部材１０ａにより仕切られた空間内を循環しながら攪拌される。そして、現像剤担持体としての現像ローラ１２近傍に搬送された現像剤は、現像ローラ１２の内部に設けられる図示しない磁石による磁力作用を受けて、現像ローラ１２の表面に保持される。そして、現像ローラ１２の表面に保持された現像剤は、現像ローラ１２の回転に伴って、ドクターブレード１３により所定の層厚に規制された後、感光体ドラム１との対向位置において感光体ドラム１上の静電潜像を現像する。
【００１５】
現像装置１０による現像時において、感光体ドラム１上の静電潜像に付着するのはトナーのみであり、現像するごとに現像剤中のトナーが消費されることになる。このため、本実施形態では、現像装置１０が使用する現像剤中のトナー量を一定に保つために、トナー補給装置２０により、トナー補給口１４から少量ずつトナーを補給しながら現像を行う構成となっている。
【００１６】
次に、本実施形態におけるトナー補給装置２０の構成について説明する。
トナー補給装置２０は、現像装置１０のトナー補給口１４に連結されるスクリューポンプ２３と、このスクリューポンプ２３に連通される現像剤搬送通路としての搬送チューブ２１を有している。この搬送チューブ２１は、好ましくは、フレキシブルで耐トナー性に優れたポリウレタン、ニトリル、ＥＰＤＭ等のゴム材料で形成されたものを利用する。また、トナー補給装置２０は、現像剤収納容器としてのトナー収容器３０を支持するための容器ホルダ２２を有しており、この容器ホルダ２２は樹脂等の剛性の高い材料で形成されている。
【００１７】
トナー収容器３０は、柔軟なシート材で形成される袋状部材としての現像剤収容部３１と、現像剤排出口としてのトナー排出口を形成する排出口形成部材としての口金部３２を有している。トナー収容器３０における現像剤収容部３１の材質としては、ポリエチレンシート、ポリエステルシート、ポリウレタンシート等のプラスチックシートを用いることが好ましい。また、口金部３２には、スポンジ、ゴム等で形成されるシール材３３が設けられており、このシール材３３には十字型の切り込みが設けられている。そして、この切り込みにトナー補給装置２０のノズル４０を通すことで、トナー収容器３０とトナー補給装置２０が連通し固定される。トナー収容器３０は、トナーの消耗に応じて順次新しい物と交換されるが、この構成により、その着脱が容易となり、交換時や使用時におけるトナー漏れを防止する。
【００１８】
図３（ａ）は、トナー補給装置２０に設けられるノズル４０の概略構成を示す外観図であり、図３（ｂ）は、その軸方向断面図であり、図３（ｃ）は、図３（ｂ）中符号Ａ−Ａの断面図である。このノズル４０は、図３（ｂ）に示すように、内管４１とその内管４１を内部に収容する外管４２とからなる２重管構造を有している。内管４１の内部は、トナー収容器３０内のトナーを排出するための現像剤搬送通路としてのトナー流路４１ａとなっている。トナー収容器３０内のトナーは、スクリューポンプ２３による吸引力により、吸引され、トナー流路４１ａを通ってスクリューポンプ２３内に引き込まれることになる。
【００１９】
図４は、スクリューポンプ２３の概略構成を示す断面図である。このスクリューポンプ２３は、一軸偏芯スクリューポンプと呼ばれるもので、内部にロータ２４及びステータ２５を備えている。ロータ２４は、円形断面が螺旋状に捻れた形状を有し、硬い材質で形成されており、ステータ２５の内部に嵌合される。一方、ステータ２５は、ゴム状の柔軟な材料で形成され、長円形断面が螺旋状に捻れた形状の穴を有しており、この穴にロータ２４が嵌合される。また、ステータ２５の螺旋のピッチは、ロータ２４の螺旋のピッチの２倍の長さに形成されている。また、ロータ２４は、ユニバーサルジョイント２７及び軸受２８を介して、ロータ２４を回転駆動させるための駆動モータ２６に接続されている。
【００２０】
この構成において、トナー収容器３０からノズル４０のトナー流路４１ａ及び搬送チューブ２１を通って搬送されてきたトナーは、スクリューポンプ２３のトナー吸引口２３ａから内部に入り込む。そして、ロータ２４とステータ２５の間に形成されるスペースに入り込み、ロータ２４の回転に伴って、図２中右側方向に吸引搬送される。そして、ロータ２４とステータ２５の間のスペースを通過したトナーは、トナー落下口２３ｂから下方に落下し、現像装置１０のトナー補給口１４を介して、現像装置１０の内部に供給される。
【００２１】
また、図３（ｂ）に示すように、トナー補給装置２０のノズル４０は、内管４１と外管４２との間に、空気供給通路としてのエア流路４４を有する。このエア流路４４は、図３（ｃ）に示すように、互いに独立した断面半円状の２つの流路４４ａ，４４ｂから構成されている。各エア流路４４ａ，４４ｂは、図２に示すように、それぞれ、気体供給通路としてのエア供給路６１ａ，６１ｂを介して、別個の気体送出装置としてのエアポンプ６０ａ，６０ｂに接続されている。このエアポンプ６０ａ，６０ｂとしては、通常のダイアフラム型のエアポンプを利用することができる。これらエアポンプ６０ａ，６０ｂから送り出される空気は、それぞれ、エア流路４４ａ，４４ｂを通って、各エア流路の気体供給口としてのエア供給口４６ａ，４６ｂからトナー収容器３０内に供給される。各エア供給口４６ａ，４６ｂは、トナー流路４１ａの現像剤排出口としてのトナー流出口４７の図中下方に位置している。これにより、各エア供給口４６ａ，４６ｂから供給される空気は、トナー流出口４７付近のトナーに対して供給されることになり、使用されないまま長期間放置されてトナー流出口４７にトナーが詰まった状態になったとしても、そのトナー流出口４７を塞いでいるトナーを崩すことができる。
【００２２】
また、エア供給路６１ａ，６１ｂには、図示しない気体送出制御手段としての制御部からの制御信号により、開閉動作する閉塞手段としての開閉弁６２ａ，６２ｂが設けられている。開閉弁６２ａ，６２ｂは、制御部からＯＮ信号を受け取ると弁を開けて空気を通過させ、制御部からＯＦＦ信号を受け取ると弁を閉めて空気の通過を阻止するように動作する。
【００２３】
次に、本実施形態におけるトナー補給装置２０の動作について説明する。
上記制御部は、現像装置１０からトナー濃度が不足した旨の信号を受け取ることで、トナー補給動作を開始する。このトナー補給動作では、まず、エアポンプ６０ａ，６０ｂをそれぞれ駆動させ、トナー収容器３０内に空気を供給するとともに、スクリューポンプ２３の駆動モータ２６を駆動させて、トナーの吸引搬送を行う。エアポンプ６０ａ，６０ｂから空気が送り出されると、その空気は、エア供給路６１ａ，６１ｂからノズル４０のエア流路４４ａ，４４ｂに入り込み、エア供給口４６ａ，４６ｂからトナー収容器３０内に供給される。この空気によって、トナー収容器３０内のトナーは、攪拌されて、空気を多く内包した状態となり、流動化が促進される。
【００２４】
また、トナー収容器３０内に空気が供給されると、トナー収容器３０内の内圧が高まることになる。従って、トナー収容器３０の内圧と外圧（大気圧）との間に圧力差が生じ、流動化したトナーには、圧力の引く方向へ移動する力が働く。これにより、トナー収容器３０内のトナーは、圧力の引く方向すなわちトナー流出口４７から流出することになる。尚、本実施形態では、スクリューポンプ２３による吸引力も作用して、トナー収容器３０内のトナーがトナー流出口４７から流出する。
【００２５】
上述のようにして、トナー収容器３０からトナー流出したトナーは、トナー流出口４７からノズル４０のトナー流路４１ａを通り、搬送チューブ２１を介してスクリューポンプ２３内に移動する。そして、スクリューポンプ２３内を移動した後、トナー落下口２３ｂから下方に落下し、トナー補給口１４から現像装置１０内にトナーが補給される。一定量のトナー補給が完了したら、制御部は、エアポンプ６０ａ，６０ｂ及び駆動モータ２６の駆動を停止させ、かつ、開閉弁６２ａ，６２ｂを閉じ、トナー補給動作を終了する。このように、トナー補給動作終了時に開閉弁６２ａ，６２ｂを閉じることで、トナー収容器３０内のトナーがノズル４０のエア供給路４４ａ，４４ｂを通ってエアポンプ６０ａ，６０ｂ側に逆流するのを防止している。
【００２６】
また、エアポンプ６０ａ，６０ｂから供給される空気の供給量は、スクリューポンプ２３によるトナー及び空気の吸引量よりも少なく設定されている。よって、トナーを消費するにつれて、トナー収容器３０の内圧が減少することになる。ここで、本実施形態におけるトナー収容器３０の現像剤収容部３１は、柔軟なシート材で形成されているため、内圧の減少に伴って減容する。
【００２７】
図１（ａ）及び（ｂ）は、本実施形態におけるトナー収容器３０の一例を示す外観図であり、図１（ａ）は、トナーが充填された使用前の状態を示し、図１（ｂ）は、トナーを消費した使用後の状態を示している。トナー収容器３０の現像剤収容部３１の一部には、減容によるトナー収容器３０の変形を補助するため、剛性強化手段としての剛性強化部材であるガイド部材３４が装着されている。このガイド部材３４は、トナー収容器３０に対して着脱可能となっている。
【００２８】
図５（ａ）及び（ｂ）は、トナー収容器３０とガイド部材３４とが分離したときのトナー収容器３０及びガイド部材３４をそれぞれ示す外観図である。図５（ａ）に示すトナー収容器３０は、ポリエチレンシートを融着する等して形成した現像剤収容部３１に、口金部３２を融着によって固定して形成されている。口金部３２を現像剤収容部３１に融着により固定することは、密閉性を確保する上で好ましいが、他の方法によりトナー収容器３０を形成してもよい。
【００２９】
また、トナー収容器３０の現像剤収容部３１は、図５（ａ）に示すように、互いに対向する２つの第１平面部Ｂと、これら第１平面部Ｂを連結する互いに対向した２つの第２平面部Ｃとを有している。また、第２平面部Ｃには、トナー収容器３０が減容して変形したときに、２つの第１平面部Ｂが互いに平行に近接するように、折り目３１ａが形成されている。このようなトナー収容器３０の形状は、一般にガゼット容器と呼ばれる容器形状であり、簡単にシート状に折り畳むことができるものである。
【００３０】
また、図５（ｂ）に示すガイド部材３４は、トナー収容器３０の材質よりも剛性が高い厚地の紙又は薄いプラスチックシート等で形成されている。このガイド部材３４は、図示のように、断面がほぼ正方形状の中空筒状部材であって、そのうちの２つの面に折り目３４ａが付けられており、軽い力が働くだけで、この折り目３４ａ部分で屈折することができる。このガイド部材３４は、図１（ａ）に示すように、折り目３４ａがトナー収容器３０の折り目３１ａに揃うようにトナー収容器３０の現像剤収容部３１の外周面に沿って装着される。そして、ガイド部材３４は、トナー収容器３０の減容により力を受けると、折り目３４ａ部分で屈折し、折り畳むように作用する。これにより、ガイド部材３４の折り目３４ａ部分はトナー収容器３０の折り目３１ａを押し込み、ガイド部材３４の内壁面はトナー収容器３０の平面部分をその平面の法線方向から均一に押し込むことになる。よって、トナー収容器３０が減容して変形するときの形状は、ガイド部材３４の折り畳みにより補助され、減容後のトナー収容器３０は、図１（ｂ）に示すように、きれいなシート状に折り畳まれることになる。
【００３１】
尚、本実施形態ではガイド部材３４をトナー収容器に対して着脱可能に構成しているが、図５（ｂ）中符号Ｄで示す部分の内壁面に、接着剤を塗布し、ガイド部材３４とトナー収容器３０とを固定するようにしてもよい。また、ガイド部材３４とトナー収容器３０とを融着させて固定してもよい。このように固定することで、トナー収容器３０の運搬中、トナー収容器３０をプリンタにセットするための操作中、トナー収容器３０をプリンタにセットした後の動作中などにおいて、ガイド部材３４がトナー収容器３０から外れたり、ズレたりするのを防止できる。
【００３２】
上述のようなガイド部材３４の作用により、トナー収容器３０がトナー補給装置２０の容器ホルダ２２にセットされ、トナーを消費してトナーが無くなった場合、口金部３２を除いた部分のトナー収容器３０は、シート状にきちんと折りたたまれた状態になる。よって、トナー収容器３０の交換時におけるユーザーの取り扱いが容易となり、また、使用済みとなったトナー収容器３０を保管したり、メーカー等に運搬したりする際の収納性が高まる。
【００３３】
〔変形例１〕
次に、上記実施形態におけるガイド部材の変形例（以下、本変形例を「変形例１」という。）について説明する。
図６は、本変形例に係るガイド部材１３４を示す概略構成図である。本変形例のガイド部材１３４では、６枚の平板状部材１３４ａ，１３４ｂ，１３４ｃで構成されている。尚、図中には、３枚の平板状部材のみ図示しているが、トナー収容器３０の図示しない背面側にも、図示と同様に平板状部材１３４ａ，１３４ｂ，１３４ｃが設けられている。このガイド部材１３４は、図７（ａ）に示すように、トナー収容器３０の現像剤収容部３１の材料の一部として形成してもよい。すなわち、ガイド部材１３４の部分は、他の部分よりもトナー収容器３０のシート材の厚みが増して形成されており、この厚み部分がガイド部材１３４として機能する。また、このガイド部材１３４は、図７（ｂ）に示すように、トナー収容器３０を形成するシート材とは別体のシート材又は板材で形成してもよい。この場合、そのガイド部材１３４を、トナー収容器３０の外周面上の所定の位置に、それぞれ接着又は融着して固定する。
【００３４】
この変形例では、トナー収容器３０が有する２つの第１平面部Ｂに、それぞれ第１平面状部材１３４ａが設けられ、折り目３１ａを境にして分割された第２平面部Ｃの各平面部Ｃ１，Ｃ２に、それぞれ第２平面状部材１３４ｂ及び第３平面状部材１３４ｃが設けられる。このような平面状部材により構成されるガイド部材１３４は、剛性強化手段として機能し、これらガイド部材１３４が設けられたトナー収容器３０部分は、ガイド部材１３４が設けられていないトナー収容器３０部分よりも剛性が強化されることになる。よって、本変形例に係るガイド部材１３４を使用した場合でも、上記実施形態におけるガイド部材３４と同様の効果を得ることができる。
【００３５】
〔変形例２〕
次に、上記実施形態におけるガイド部材の他の変形例（以下、本変形例を「変形例２」という。）について説明する。
図８は、本変形例に係るガイド部材２３４を示す概略構成図である。本変形例のガイド部材２３４は、上記変形例１におけるガイド部材１３４と同様に、６枚の平板状部材２３４ａ，２３４ｂ，２３４ｃで構成され、上記変形例１の場合と同様の位置に設けられ、同様の機能を果たす。しかし、本変形例のガイド部材２３４は、図示のように、平板状部材に貫通穴が設けられている。このようなガイド部材２３４は、図９（ａ）に示すように、トナー収容器３０を形成するシート材の一部の厚みを増して形成してもよい。また、図９（ｂ）に示すように、トナー収容器３０を形成するシート材とは別体のシート材又は板材で形成し、これをトナー収容器３０に接着又は融着してもよい。また、図９（ｃ）に示すように、トナー収容器３０のシート材を凹凸状に絞り加工して形成してもよい。このようにガイド部材２３４を構成する平板状部材に貫通穴を設けることにより、このガイド部材２３４を備えたトナー収容器３０の軽量化を図ることができ、取り扱いが容易となる。
【００３６】
〔変形例３〕
次に、上記実施形態におけるガイド部材の更に他の変形例（以下、本変形例を「変形例３」という。）について説明する。
図１０は、本変形例に係るガイド部材７３４を示す概略構成図である。また、図１１は、シート状に折り畳まれた状態のトナー収容器７３０を示す外観図である。本変形例におけるトナー収容器７３０の形状は、一般にガゼット容器と呼ばれる容器形状であるが、上記実施形態並びに上記変形例１及び２のものとは異なる。すなわち、トナー収容器が減容して変形したとき、上記実施形態並びに上記変形例１及び２のトナー収容器３０は図中上面が外方に突出するようにしてシート状に折り畳まれる。これに対し、本変形例３のトナー収容器７３０は、図１１に示すように、図中上面が内側に折り込まれるようにしてシート状に折り畳まれる。本変形例３のトナー収容器７３０であれば、その上面が内側に折り込まれるため、折り畳まれたときの上下方向長さが上記実施形態並びに上記変形例１及び２のトナー収容器３０に比べて短くできる。よって、使用済みの現像剤収納容器をコンパクトにでき、その取り扱いの容易性又は収納性をより高めることができる。また、トナー収容器７０は、機内に収納された状態で使用され、トナー消費に伴って減容し、徐々に折り畳まれていく。よって、上記実施形態並びに上記変形例１及び２のトナー収容器３０の場合、その上面が突出できるように機内にスペースを空ける必要がある。これに対し、本変形例のようにトナー収容器７３０の上面が内側に折り込まれる構成であれば、そのようなスペースは不要となり、装置の小型化の点で有利である。なお、上記実施形態並びに上記変形例１及び２のトナー収容器３０を本変形例３のトナー収容器７３０の形状にしたり、逆に本変形例３のトナー収容器７３０を上記実施形態並びに上記変形例１及び２のトナー収容器３０の形状にしたりしてもよい。
【００３７】
また、本変形例のトナー収容器７３０は、２つの第１平面部Ｂが互いに対向する方向に分割された第２平面部Ｃの各平面部Ｃ１，Ｃ２に、それぞれ第１平面状部材７３４ａ及び第２平面状部材７３４ｂが設けられる。尚、図１０中には、２枚の平板状部材のみ図示しているが、トナー収容器７３０の図示しない背面側にも、図示と同様に平板状部材７３４ａ，７３４ｂが設けられている。よって、本変形例のガイド部材７３４は、上記変形例１や上記変形例２におけるガイド部材とは異なり、４枚の平板状部材７３４ａ，７３４ｂで構成されている。
【００３８】
本変形例では、トナー収容器７３０が有する２つの第１平面部Ｂにガイド部材を設けない代わりに、第１平面部Ｂ部分のシート材の厚みを第２平面部Ｃ部分のシート材の厚みよりも厚く形成している。これにより、第１平面部Ｂは、図１１に示すように、内圧が減少して減容したときでも平面形状を保つことができる。
【００３９】
また、本変形例では、２つの第２平面部Ｃに折り目を形成しない代わりに、その第２平面部Ｃを薄く柔軟なシート材で形成している。そして、この第２平面部Ｃには、平板状部材７３４ａ，７３４ｂが設けられている。ここで、この第２平面部Ｃに平板状部材７３４ａ，７３４ｂのようなガイド部材を設けない場合、減容時にその第２平面部Ｃが蛇腹状に折り込まれていまい、減容後の形状が一定とならない。また、シート状に折り畳まれたトナー収容器７３０の厚さも十分に平坦なものとすることができない。しかし、本変形例のように第２平面部Ｃに平板状部材７３４ａ，７３４ｂを設ければ、その平板状部材７３４ａ，７３４ｂの剛性により第２平面部Ｃの折り込み動作が補助される。これにより、２つの第１平面部Ｂが互いに対向する方向における第２平面部Ｃの中央部分７３１ａで屈曲が起きるように誘発できる。したがって、上記実施形態におけるガイド部材３４と同様の効果を得ることができる。なお、本変形例における第２平面部Ｃに、上記実施形態並びに上記変形例１及び２の場合と同様に折り目を形成すれば、減容後の形状をより安定化させることができる。
【００４０】
なお、本変形例では、１つの第２平面部Ｃに対して２つの平板状部材７３４ａ，７３４ｂを設ける構成について説明したが、第２平面部Ｃの各平面部Ｃ１，Ｃ２のうちの一方にだけ平板状部材７３４ａ，７３４ｂを設けるようにしてもよい。この場合であっても、一方の平面部Ｃ１が平板状部材７３４ａに補助された状態で内側に折り込まれることで、他方の平面部Ｃ２も内側に引き込まれるため、平板状部材７３４ａ，７３４ｂを両方の平面部Ｃ１，Ｃ２に設けた場合と同様の効果を得ることができる。
【００４１】
尚、ガイド部材７３４は、上記変形例１や上記変形例２の場合と同様に、トナー収容器３０の現像剤収容部３１の材料の一部として形成したり、トナー収容器３０を形成するシート材とは別体のシート材又は板材で形成したりしてもよい。また、ガイド部材７３４を、上記変形例２の場合と同様に、トナー収容器３０のシート材を凹凸状に絞り加工して形成してもよい。
【００４２】
〔変形例４〕
次に、上記実施形態におけるトナー収容器３０の装着部分の変形例（以下、本変形例を「変形例４」という。）について説明する。
図１２は、トナー収容器３０の姿勢を保持するための保持部材としての容器保持器を用いたときのトナー収容器３０の装着作業を説明するための説明図である。図１２（ａ）は、上記変形例１におけるガイド部材１３４を備えたトナー収容器３０を示し、図１２（ｂ）は、本変形例に係る容器保持器３２２を示し、図１２（ｃ）は、トナー補給装置２０のノズル４０を示している。
【００４３】
容器保持器３２２は、トナー収容器３０を内部に収容可能で、一側面が完全に開口した箱状部材で形成されている。容器保持器３２２の図中前面及び後面には、ユーザー等が容器保持器３２２を手で持って作業するときの滑り止めとして機能する突起又はくぼみ３２２ａが形成されている。また、容器保持器３２２の底面には、トナー収容器３０を内部に収容したとき、そのトナー収容器３０の口金部３２が容器保持器３２２の外部に突出できるように、切欠部３３２ｂが形成されている。また、本変形例においては、トナー収容器３０を容器保持器３２２内でしっかりと保持できるように、トナー収容器３０の口金部３２に、切欠部３３２ｂと係合する係合溝３３５が形成されている。
【００４４】
トナー収容器３０をトナー補給装置２０に装着する場合、まず、トナー収容器３０を容器保持器３２２の内部にセットする。そして、その容器保持器３２２をユーザー等が手で持って、トナー収容器３０の口金部３２に設けられるトナー排出口にトナー補給装置２０のノズル４０に通して、容器保持器３２２ごとトナー収容器３０をトナー補給装置２０に装着する。尚、トナー収容器３０内のトナーが無くなったら、装着手順と逆の手順で、そのトナー収容器３０をトナー補給装置２０から取り外す。ここで、トナー収容器３０を交換する場合でも、容器保持器３２２自体は、何度も繰り返して使用することになる。よって、本変形例では、この容器保持器３２２をトナー補給装置２０と別体に構成しているが、トナー補給装置２０に固定した構成としてもよい。
【００４５】
尚、本実施形態では、現像装置１０へのトナー補給時におけるトナー補給量の調節は、制御部によるスクリューポンプ２３の駆動制御により行うことになる。しかし、この場合には、トナー補給量の細かな調節は難しい。そこで、例えば、スクリューポンプ２３のトナー落下口２３ｂに、制御部により開閉制御可能な通過量調節手段としての開閉弁を設けるようにしてもよい。この場合、その開閉弁の開閉動作により、現像装置１０内へのトナー補給の動作を確実に制御できるようになる。よって、現像装置１０内に所望の量だけトナー補給するという定量補給も可能となる。
【００４６】
〔実施形態２〕
次に、本発明を、電子写真方式の画像形成装置であるプリンタに適用した他の実施形態（以下、本実施形態を「実施形態２」という。）について説明する。尚、本実施形態における画像形成動作は、上記実施形態１と同様であるが、トナー補給装置のノズルの構成が異なるので、その部分についてのみ説明する。
【００４７】
図１３は、本実施形態に係るプリンタにおけるトナー補給装置周辺の概略構成図であり、図１４（ａ）は、本実施形態におけるノズル４４０の概略構成を示す外観図であり、図１４（ｂ）は、その軸方向断面図である。このノズル４４０は、１本の管を軸方向に沿って半分に分離した構成を有し、トナー流路とエア流路が共通化されている。すなわち、ノズル４４０は、トナー流出口及びエア供給口として機能する共通開口４４６ａ，４４６ｂを備えた共通流路４４４ａ，４４４ｂを備えている。また、この共通流路４４４ａ，４４４ｂは、エアポンプ６０ａ，６０ｂに連通するエア供給用開口４４８ａ，４４８ｂと、搬送チューブ２１を介して現像装置１０内に連通するトナー排出用開口４４９ａ，４４９ｂを備えている。
【００４８】
本実施形態のトナー補給時においては、トナー収容器３０内へのエア供給とトナー収容器３０からのトナー排出は、同時に行われず、例えば、交互に行う。具体的には、制御部は、現像装置１０からトナー濃度が不足した旨の信号を受け取ると、まず、エアポンプ６０ａ，６０ｂをそれぞれ駆動させる。これにより、エアポンプ６０ａ，６０ｂからの空気は、ノズル４４０のエア供給用開口４４８ａ，４４８ｂから共通流路４４４ａ，４４４ｂ内に入り込み、共通開口４４６ａ，４４６ｂからトナー収容器３０内に供給される。これにより、トナー収容器３０内のトナーは、攪拌され、流動化される。そして、トナーを十分に攪拌できる時間が経過した後、制御部は、エアポンプ６０ａ，６０ｂの駆動を停止させ、かつ、開閉弁６２ａ，６２ｂを閉じる。その後、今度は、スクリューポンプ２３の駆動モータ２６を駆動させる。これにより、トナー収容器３０内のトナーは、ノズル４４０の共通開口４４６ａ，４４６ｂから共通流路４４４ａ，４４４ｂ内に入り込み、トナー排出用開口４４９ａ，４４９ｂから搬送チューブを介して、スクリューポンプ２３内に吸引搬送される。このとき、開閉弁６２ａ，６２ｂは閉じた状態にあるため、共通流路内のトナーがエアポンプ６０ａ，６０ｂ側に移動することはない。
【００４９】
また、本実施形態におけるトナー収容器３０は、その鉛直方向上部に、内部の空気を外部に通すための気体排出手段としてのフィルタ４３６が設けられている。このフィルタ４３６は、空気を通すがトナーは通さない材料で形成されている。このフィルタ４３６により、エア供給されたトナー収容器３０内の内圧上昇を抑えることができる。これにより、内圧が上昇したときにエア供給量が減少するという不具合がなく、大量の空気をトナー収容器３０内に送り込むことが可能となる。よって、トナー収容器３０内のトナーをより攪拌し、流動化させることができる。
【００５０】
〔実施形態３〕
次に、本発明を、電子写真方式の画像形成装置であるプリンタに適用した更に他の実施形態（以下、本実施形態を「実施形態３」という。）について説明する。本実施形態における画像形成装置は、４つの現像装置を用いるカラー画像形成装置であり、その画像形成動作は、従来と同様のものであるため、以下、本実施形態の特徴部分についてのみ説明する。
【００５１】
図１５は、本実施形態における空気の供給方法についての説明図である。本実施形態のカラー画像形成装置においては、４つの現像装置に対してそれぞれ補給するためのトナーを収納した４つのトナー収納器５３０ａ，５３０ｂ，５３０ｃ，５３０ｄが設けられている。各トナー収納器５３０ａ，５３０ｂ，５３０ｃ，５３０ｄ内のトナーをそれぞれ現像装置まで搬送するためのトナー搬送機構は、上記実施形態１とほぼ同様である。
【００５２】
ここで、本実施形態では、トナー収容器５３０ａ，５３０ｂ，５３０ｃ，５３０ｄ内に供給される空気を送り出すエアポンプ５６０ａ，５６０ｂは２つしか用意されていない。上記実施形態１の構成で言えば、各トナー収容器５３０ａ，５３０ｂ，５３０ｃ，５３０ｄについて、それぞれ２つのエアポンプを用意する必要があるが、本実施形態では、各トナー収容器で共通のエアポンプ５６０ａ，５６０ｂを使用する。すなわち、各トナー収容器５３０ａ，５３０ｂ，５３０ｃ，５３０ｄについて、ノズル内に設けられる２つのエア流路に対応する２つのエアポンプは、それぞれ、他のトナー収容器と共通のものを使用する。これにより、本来、８つのエアポンプが必要であるところ、２つのエアポンプで済むため、装置内の省スペース化及び低コスト化を図ることができる。
【００５３】
また、このように４つのトナー収容器５３０ａ，５３０ｂ，５３０ｃ，５３０ｄについて共通のエアポンプ５６０ａ，５６０ｂを使用する場合、すべてのトナー収容器に対して同時にエア供給を行うと、個々のトナー収容器に対する空気の供給量が少なくなり、トナーの攪拌が不十分になるおそれもある。また、トナー攪拌を十分に行うために、大量の空気を送り出すことができるエアポンプを採用すると、装置が大型化し、電力消費量も増大するため望ましくない。
【００５４】
そこで、本実施形態では、各トナー収容器５３０ａ，５３０ｂ，５３０ｃ，５３０ｄに対して、個別にエア供給を行う構成としている。具体的に説明すると、エアポンプ５６０ａ，５６０ｂと各トナー収容器５３０ａ，５３０ｂ，５３０ｃ，５３０ｄとを連通させるエア供給路５６１ａ，５６１ｂ，５６１ｃ，５６１ｄには、それぞれ、開閉弁５６２ａ，５６２ｂ，５６２ｃ，５６２ｄが設けられている。そして、例えば、Ｙトナー収容器５３０ａに対してエア供給を行う場合、他のトナー収容器５３０ｂ，５３０ｃ，５３０ｄに連通するエア供給路５６１ｂ，５６１ｃ，５６１ｄの開閉弁を５６２ｂ，５６２ｃ，５６２ｄを閉じる。これにより、エアポンプ５６０ａ，５６０ｂから送り出される空気は、エア供給路５６１ａのみを通ってＹトナー収容器５３０ａに供給されることになる。
【００５５】
以上、上記実施形態１、２及び３のプリンタは、柔軟な材料で形成され、内圧が減少することで減容する袋状部材である現像剤収容部３１と、その現像剤収容部３１の内部に収納された現像剤を排出するための現像剤排出口であるトナー排出口を形成する排出口形成部材としての口金部３２を備えた現像剤収納容器であるトナー収容器３０，５３０，７３０を備えている。このトナー収容器３０，５３０，７３０は、現像剤収容部３１が内圧の減少により減容するときに屈折する現像剤収容部３１の屈折箇所よりも現像剤収容部３１の他部の剛性を高める剛性強化手段としてのガイド部材３４，１３４，２３４，７３４を備えている。現像剤収容部３１が内圧の減少により減容して変形するとき、ガイド部材３４，１３４，２３４，７３４によって、剛性が低い上記屈折箇所は屈折するが剛性が高い上記他部は屈折せず、その現像剤収容部３１は減容により所定形状に向かって変形していく。そして、最終的に、減容後の現像剤収容部３１は、その所定形状につぶれた状態となり、使用済みのトナー収容器３０，５３０，７３０の取り扱いの容易性又は収納性を安定して確保することができる。また、ガイド部材３４，１３４，２３４，７３４は、減容する現像剤収容部３１が所定箇所で屈折するように、その現像剤収容部３１の変形を補助している。これにより、現像剤収容部３１は、減容により所定形状に向かって屈折して変形し、最終的に、減容後の現像剤収容部３１は、折り畳まれた状態となる。よって、減容後の現像剤収容部３１により占有されるスペースを効率よく小さくすることができる。よって、収納性をより高めることができる。
また、上記実施形態１におけるガイド部材３４は、現像剤収容部３１に対して着脱可能な剛性強化部材であるため、使用済みのトナー収容器３０について使用していたガイド部材３４を、新たなトナー収容器３０を使用する場合に再利用することができる。また、トナー収容器３０にガイド部材３４を装着するだけで、使用済みのトナー収容器３０の取り扱いの容易性又は収納性を安定して確保できるので、従来のトナー収容器を流用することも可能となる。よって、ガイド部材３４を再利用できる点で経済的であるとともに、従来のトナー収容器を流用できる点でメーカーにとっての利便性を高めることができる。
特に、上記ガイド部材３４は、現像剤収容部３１の外周面に沿って装着され、その現像剤収容部３１よりも高い剛性を有する中空筒状部材である。よって、このガイド部材３４に装着することで、その現像剤収容部３１を減容により所定形状に変形させることができる。また、トナー収容器３０の現像剤収容部３１の部分を、そのガイド部材３４の内部にセットするだけで、使用済みとなったトナー収容器３０の取り扱いの容易性又は収納性を安定して確保できるので、取り扱いが容易で利便性が高い。
また、上記変形例１乃至３におけるガイド部材１３４，２３４，７３４は、現像剤収容部３１に固着して設けられているので、上記実施形態１のガイド部材３４で生じ得る不具合がない。この不具合とは、現像剤収容部３１に対して着脱可能なガイド部材３４を使用すると、そのトナー収容器３０の使用中にガイド部材３４が外れたり、装着位置がズレたりするおそれがあることである。このような不具合が生じた場合、そのガイド部材３４による効果が得られないことがある。また、トナー収容器３０の運搬中にガイド部材３４が外れたり、装着位置がズレたりすると、使用前に、そのガイド部材３４を再装着したり、装着位置を修正したりする必要が生じ、その取扱いが煩雑となることも不具合として挙げられる。これに対し、上記変形例１乃至３におけるガイド部材１３４，２３４，７３４は、現像剤収容部３１の少なくとも一部に固着して設けているため、ガイド部材１３４，２３４，７３４による効果を安定して発揮させることができ、また、取扱いが煩雑さも解消することができる。
特に、上記変形例１乃至３における現像剤収容部３１は、少なくとも１つの平面部Ｂ，Ｃを有しており、ガイド部材１３４，２３４，７３４は、その平面部Ｂ，Ｃの少なくとも一部に固定される平板状部材である。このようなガイド部材１３４，２３４，７３４は、板材又はシート材を切断することで容易に製造できるため、変形補助手段を簡単かつ低コストで実現することができる。
このとき、そのガイド部材１３４，２３４，７３４に、その平板面を貫通する貫通穴を設ければ、貫通穴のないものに比べて、トナー収容器３０，７３０の軽量化を図ることができる。このようなガイド部材は、平板材の一部をくり貫いたり、成型したり、長尺な板材を組み合わせたりすることにより、形成することができる。
また、上記ガイド部材１３４，２３４，７３４は、現像剤収容部３１の上記他部が上記屈折箇所よりも厚く形成された部分で構成することで、現像剤収容部３１の製造時に、一緒に剛性強化手段を設けることができる。よって、本トナー収容器３０，７３０の製造が簡単で低コスト化を図ることができる。
また、上記変形例１及び２では、現像剤収容部３１が、互いに対向する２つの第１平面部Ｂと、その２つの第１平面部Ｂを連結する互いに対向した２つの第２平面部Ｃとを有している。そして、第１平面部Ｂの各々にはガイド部材１３４ａ，２３４ａが設けられ、第２平面部の各々には、現像剤収容部３１が内圧の減少により減容して変形したときに２つの第１平面部Ｂを互いに平行に近接させるように屈折するための折り目３１ａが形成され、その折り目を境にして２つのガイド部材１３４ｂ，１３４ｃ，２３４ｂ，２３４ｃが設けられている。このような構成により、現像剤収容部３１が内圧の減少により減容すると、各第２平面部は折り目３１ａの部分で屈折し、減容後の現像剤収容部３１は、最終的に、２つの第１平面部Ｂが互いに平行に近接した状態でつぶれることになる。よって、現像剤収容部３１は、減容前においては、２つの第１平面部Ｂ及び２つの第２平面部Ｃにより囲まれた部分に現像剤を収納でき、減容後においては、ほぼ板状になる。減容後の現像剤収容部３１の形状は、板状になるのが取扱いの容易性や収納性の点で理想的であると言え、このトナー収容器３０によれば、このような理想的な形状に現像剤収容部３１を安定して減容させることができる。
また、上記変形例３では、現像剤収容部３１が、互いに対向する２つの第１平面部Ｂと、その２つの第１平面部Ｂを連結する互いに対向した２つの第２平面部Ｃとを有している。そして、第１平面部Ｂの各々は第２平面部Ｃよりも剛性の高いシート材で形成されている。また、第２平面部の各々には、現像剤収容部３１が内圧の減少により減容して変形したときに２つの第１平面部Ｂを互いに平行に近接させるように屈折するための折り目７３１ａが形成され、その折り目を境にして２つのガイド部材７３４ａ，７３４ｂが設けられている。このような構成は、種々の実験の結果から、減容後に理想的な板状の状態にするための最も効果的な構成であることが確認された。
また、上記実施形態１、２及び３に係るプリンタは、上述したトナー収容器３０，７３０を用いているため、上述したトナー収容器３０，７３０による効果をもって、現像装置１０に現像剤を補給することができ、プリンタ自体の利便性を向上させることができる。
特に、上記変形例４におけるプリンタは、トナー収容器３０を現像剤補給装置であるトナー補給装置２０に装着するときに、そのトナー収容器３０の姿勢を保持するための保持部材としての容器保持器３２２を備えている。これにより、トナー収容器３０の現像剤収容部３１が柔軟な材料で形成されていても、そのトナー収容器３０をトナー補給装置２０に装着するときに姿勢が崩れない。よって、現像剤収容部３１を柔軟な材料で形成しても、現像剤収容部３１が堅い材料で形成されたハードボトル等と同程度の高い操作性を得ることができる。
【００５６】
尚、上述した実施形態１、２及び３では、各エア供給口４６ａ，４６ｂから供給される空気の供給量は一定としてもよいが、この場合、トナー収容器３０内の圧分布が均一となる等が原因で、架橋現象が生じるおそれがある。そこで、この架橋現象の発生を効果的に抑制するため、各エアポンプ６０ａ，６０ｂから送り出す空気の送出量を異なるように設定してもよい。これによれば、図１６に示すように、各エア供給口４６ａ，４６ｂから供給された空気により攪拌され流動化するトナーの領域Ｅ１，Ｅ２は異なるものとなる。よって、トナー収容器３０内の圧分布が不均一となり、また流動化したトナーの動きの不規則になるため、架橋現象の発生を効果的に抑制することができる。また、各エアポンプ６０ａ，６０ｂから送り出す空気の送出量を異ならせず、トナー収容器３０内へのエア供給開始タイミングやエア供給終了タイミングを互いにズラすように設定してもよい。この場合、タイミングがズレている期間は、いずれか一方のエア供給口からしか空気が供給されないため、トナー収容器３０内の圧分布が崩すことができ、架橋現象の発生を効果的に抑制することができる。
【００５７】
【発明の効果】
請求項１乃至１１の発明によれば、使用済みの現像剤収納容器のユーザーによる取り扱いの容易性を安定して確保したり、使用済みのトナー収容器を保管したり運搬したりする際の収納性を安定して確保したりすることができるという優れた効果がある。
【図面の簡単な説明】
【図１】（ａ）は、実施形態１におけるトナーが充填された使用前のトナー収容器の状態を示す斜視図である。
（ｂ）は、同トナー収容器のトナーを消費した使用後の状態を示す斜視図である。
【図２】実施形態１に係るプリンタのトナー補給装置周辺の概略構成図。
【図３】（ａ）は、同トナー補給装置に設けられるノズルの概略構成を示す外観図。
（ｂ）は、同ノズルの軸方向断面図。
（ｃ）は、同図（ｂ）中符号Ａ−Ａの断面図。
【図４】同トナー補給装置に設けられるスクリューポンプの概略構成を示す断面図。
【図５】（ａ）及び（ｂ）は、同トナー収容器とガイド部材とが分離したときのトナー収容器及びガイド部材をそれぞれ示す外観図。
【図６】変形例１に係るガイド部材を示す概略構成図。
【図７】（ａ）は、同ガイド部材の一例を示す断面図。
（ｂ）は、同ガイド部材の他の例を示す断面図。
【図８】変形例２に係るガイド部材を示す概略構成図。
【図９】（ａ）は、同ガイド部材の一例を示す断面図。
（ｂ）は、同ガイド部材の他の例を示す断面図。
（ｃ）は、同ガイド部材の更に他の例を示す断面図。
【図１０】変形例３に係るガイド部材を示す概略構成図。
【図１１】変形例３におけるシート状に折り畳まれた状態のトナー収容器７３０を示す外観図。
【図１２】変形例４におけるトナー収容器の姿勢を保持するための容器保持器を用いたときのトナー収容器の装着作業を説明するための説明図。
【図１３】実施形態２に係るプリンタにおけるトナー補給装置周辺の概略構成図。
【図１４】（ａ）は、同トナー補給装置に設けられるノズルの概略構成を示す外観図。
（ｂ）は、同ノズルの軸方向断面図。
【図１５】実施形態３に係るプリンタにおける空気の供給方法についての説明図。
【図１６】同空気の供給方法におけるトナー収容器内の状態を示す説明図。
【図１７】従来のトナー収容器におけるトナーを消費した使用後の状態を示す斜視図。
【図１】
0003570714.tif 000002
【図２】
0003570714.tif 000003
【図３】
0003570714.tif 000004
【図４】
0003570714.tif 000005
【図５】
0003570714.tif 000006
【図６】
0003570714.tif 000007
【図７】
0003570714.tif 000008
【図８】
0003570714.tif 000009
【図９】
0003570714.tif 000010
【図１０】
0003570714.tif 000011
【図１１】
0003570714.tif 000012
【図１２】
0003570714.tif 000013
【図１３】
0003570714.tif 000014
【図１４】
0003570714.tif 000015
【図１５】
0003570714.tif 000016
【図１６】
0003570714.tif 000017
【図１７】
0003570714.tif 000018